(57)【特許請求の範囲】
【請求項１】
ＲＧＢＷ映像信号の輝度および彩度による映像分類パラメータを用いて、前記ＲＧＢＷ映像信号のそれぞれのフレームを彩度向上対象であるか否か分類する映像信号分類部と、
彩度向上対象であると分類されたフレームに対して、バックライト輝度を増加させるバックライト輝度制御部と、
前記バックライト輝度の増加量に対応して、前記ＲＧＢＷ映像信号のホワイト（Ｗ）サブピクセルの輝度を減少させるホワイトサブピクセル制御部と、
を含み、
前記ホワイトサブピクセル制御部は、
前記バックライト輝度が増加する前と後のフレーム全体の輝度値を維持するように、前記バックライト輝度の増加量に応じて前記ホワイトサブピクセルの輝度を減少させ、
前記映像分類パラメータは、前記映像信号のフレームに対する平均輝度値および彩度値を含み、
前記映像信号分類部は、前記フレームの全体平均輝度値が予め設定された基準値を超過し、前記フレームの全体に対して中間彩度値よりも大きい彩度値に対応するピクセルの数が予め設定された臨界値を超過するとき、前記フレームを彩度向上対象であると分類する
ことを特徴とする彩度向上システム。
【請求項２】
前記彩度向上システムは、
ＲＧＢ映像信号をＲＧＢＷ映像信号に変換するＲＧＢＷ映像信号変換部をさらに含むことを特徴とする請求項１に記載の彩度向上システム。
【請求項３】
前記ＲＧＢＷ映像信号変換部は、
下記の数式（１）を用いて、前記ＲＧＢ映像信号を前記ＲＧＢＷ映像信号に変換することを特徴とする請求項２に記載の彩度向上システム。
Ｒｏｕｔ＝Ｒｉｎ
Ｇｏｕｔ＝Ｇｉｎ
Ｂｏｕｔ＝Ｂｉｎ                      ・・・（１）
Ｗｏｕｔ＝Ｍｉｎ（Ｒｉｎ，Ｇｉｎ，Ｂｉｎ）
ここで、Ｒｉｎ，Ｇｉｎ，Ｂｉｎは、ＲＧＢ映像信号に対する各サブピクセルのピクセル値であり、Ｒｏｕｔ，Ｇｏｕｔ，Ｂｏｕｔ，Ｗｏｕｔは、変換したＲＧＢＷ映像信号に対する各サブピクセルのピクセル値であり、Ｗｏｕｔは、Ｒｉｎ，Ｇｉｎ，Ｂｉｎのうちの最小値であることを意味する。
【請求項４】
前記ＲＧＢＷ映像信号変換部は、
前記ＲＧＢ映像信号を用いてＹＵＶ映像信号に変換し、変換した信号を再びＲＧＢＷ映像信号に変換することを特徴とする請求項２に記載の彩度向上システム。
【請求項５】
前記彩度向上システムは、
ＲＧＢＷ映像信号に対して、Ｒ，Ｇ，Ｂサブピクセルのピクセル値をＨＳＶ変換して映像分類パラメータを計算する映像分類パラメータ計算部、
をさらに含み、
前記映像分類パラメータ計算部は、
前記映像信号のフレームそれぞれに対する平均輝度値を計算して、彩度ヒストグラムを用いて彩度データを計算することを特徴とする請求項１に記載の彩度向上システム。
【請求項６】
前記映像信号の平均輝度値は、
映像信号のサブピクセルであるＲ，Ｇ，Ｂを用いて、下記の数式（２）を用いて計算されるピクセルの輝度値を平均して決定されることを特徴とする請求項５に記載の彩度向上システム。
【数１】
0005698435.tif 000006
ここで、Ｖは、ピクセルの輝度値を意味する。
【請求項７】
前記映像信号の彩度ヒストグラムは、
ＲＧＢ色座標を有する映像信号に対して、下記の数式（３）を用いて計算されるピクセルの彩度値として決定されることを特徴とする請求項５に記載の彩度向上システム。
【数２】
0005698435.tif 000007
ここで、Ｓは、ピクセルの彩度値を意味し、Ｖは、ピクセルの輝度値を意味する。
【請求項８】
前記彩度データは、
前記フレームの彩度ヒストグラムに対して中間彩度値よりも大きい彩度値に対応するピクセル数の累積合計と、
前記彩度ヒストグラムに対して中間彩度値よりも小さい彩度値に対応するピクセル数の累積合計と、
前記彩度ヒストグラムに対して彩度値の範囲によって決定されるダイナミックレンジと、
を含むことを特徴とする請求項５に記載の彩度向上システム。
【請求項９】
前記バックライト輝度制御部は、
前記バックライトの輝度を増加させて変換したＲＧＢＷ映像信号に対して、Ｒ，Ｇ，Ｂサブピクセルそれぞれの輝度値を増加させることを特徴とする請求項１に記載の彩度向上システム。
【請求項１０】
ＲＧＢＷ映像信号の輝度および彩度による映像分類パラメータを用いて、映像信号のそれぞれのフレームを彩度向上対象であるか否か分類するステップと、
彩度向上対象であると分類されたフレームに対して、バックライト輝度を増加させるステップと、
前記バックライト輝度の増加量に対応して、前記ＲＧＢＷ映像信号のホワイトサブピクセルの輝度を減少させるステップと、
を含み、
前記ＲＧＢＷ映像信号のホワイトサブピクセルの輝度を減少させる前記ステップは、
前記バックライト輝度が増加する前と後のフレーム全体の輝度値を維持するように、前記バックライト輝度の増加量に応じて前記ホワイトサブピクセルの輝度を減少させ、
前記映像分類パラメータは、前記映像信号のフレームに対する平均輝度値および彩度値を含み、
前記分類するステップは、前記フレームの全体平均輝度値が予め設定された基準値を超過し、前記フレームの全体に対して中間彩度値よりも大きい彩度値に対応するピクセルの数が予め設定された臨界値を超過するとき、前記フレームを彩度向上対象であると分類する
ことを特徴とする彩度向上方法。
【請求項１１】
前記彩度向上方法は、
ＲＧＢ映像信号をＲＧＢＷ映像信号に変換するステップ、
をさらに含むことを特徴とする請求項１０に記載の彩度向上方法。
【請求項１２】
ＲＧＢ映像信号をＲＧＢＷ映像信号に変換する前記ステップは、
下記の数式（１）を用いて、前記ＲＧＢ映像信号を前記ＲＧＢＷ映像信号に変換することを特徴とする請求項１１に記載の彩度向上方法。
Ｒｏｕｔ＝Ｒｉｎ
Ｇｏｕｔ＝Ｇｉｎ
Ｂｏｕｔ＝Ｂｉｎ                      ・・・（１）
Ｗｏｕｔ＝Ｍｉｎ（Ｒｉｎ，Ｇｉｎ，Ｂｉｎ）
ここで、Ｒｉｎ，Ｇｉｎ，Ｂｉｎは、ＲＧＢ映像信号に対する各サブピクセルのピクセル値であり、 Ｒｏｕｔ，Ｇｏｕｔ，Ｂｏｕｔ，Ｗｏｕｔ
は、変換したＲＧＢＷ映像信号に対する各サブピクセルのピクセル値であり、Ｗｏｕｔは、Ｒｉｎ，Ｇｉｎ，Ｂｉｎのうちの最小値であることを意味する。
【請求項１３】
ＲＧＢ映像信号をＲＧＢＷ映像信号に変換する前記ステップは、
前記ＲＧＢ映像信号を用いてＹＵＶ映像信号に変換し、変換した信号を再びＲＧＢＷ映像信号に変換することを特徴とする請求項１１に記載の彩度向上方法。
【請求項１４】
前記彩度向上方法は、
ＲＧＢＷ映像信号に対して、Ｒ，Ｇ，Ｂサブピクセルのピクセル値をＨＳＶ変換して映像分類パラメータを計算するステップ、
をさらに含み、
前記映像分類パラメータを計算するステップは、
前記映像信号のフレームそれぞれに対する平均輝度値を計算して、彩度ヒストグラムを用いて彩度データを計算することを特徴とする請求項１０に記載の彩度向上方法。
【請求項１５】
前記映像信号の平均輝度値は、
映像信号のサブピクセルであるＲ，Ｇ，Ｂを用いて、下記の数式（２）を用いて計算されるピクセルの輝度値として決定されることを特徴とする請求項１４に記載の彩度向上方法。
【数３】
0005698435.tif 000008
ここで、Ｖは、ピクセルの輝度値を意味する。
【請求項１６】
前記映像信号の彩度ヒストグラムは、
ＲＧＢ色座標を有する映像信号に対して、下記の数式（３）を用いて計算されるピクセルの彩度値として決定されることを特徴とする請求項１４に記載の彩度向上方法。
【数４】
0005698435.tif 000009
ここで、Ｓは、ピクセルの彩度値を意味し、Ｖは、ピクセルの輝度値を意味する。
【請求項１７】
前記彩度データは、
前記フレームの彩度ヒストグラムに対して中間彩度値よりも大きい彩度値に対応するピクセル数の累積合計と、
前記彩度ヒストグラムに対して中間彩度値よりも小さい彩度値に対応するピクセル数の累積合計と、
前記彩度ヒストグラムに対して彩度値の範囲によって決定されるダイナミックレンジと、
を含むことを特徴とする請求項１４に記載の彩度向上方法。
【請求項１８】
バックライト輝度を増加させる前記ステップは、
前記バックライトの輝度を増加させて変換したＲＧＢＷ映像信号に対して、Ｒ，Ｇ，Ｂサブピクセルそれぞれの輝度値を増加させることを特徴とする請求項１０に記載の彩度向上方法。
【請求項１９】
コンピュータに、請求項１０ないし１８のうちのいずれか一項の方法を実行させるコンピュータプログラム。
【発明の詳細な説明】
【技術分野】
【０００１】
本発明は、ＲＧＢＷ映像信号の彩度向上システムおよび方法に関し、より詳細には、ＲＧＢ映像信号をＲＧＢＷ映像信号に変換するときに発生する純色の彩度低下問題を、バックライト輝度を増加させてホワイトサブピクセルを減少させることで解決する彩度向上システムおよび方法に関する。
【背景技術】
【０００２】
一般的に、ＲＧＢＷディスプレイは、ＲＧＢディスプレイと比較してみるとき、ホワイトサブピクセルの追加によって全体的に輝度が向上する。また、ＲＧＢＷディスプレイは、ディスプレイを駆動するためのＩＣの数が少なくても良いため、低費用、高輝度で映像信号を表現することができる。
【０００３】
しかしながら、ＲＧＢＷディスプレイは、追加されたホワイトサブピクセル（Ｗ）のために映像信号に含まれた純色の彩度が低下するという問題が生じる場合がある。すなわち、ＲＧＢＷディスプレイの場合、純色の絶対的なデジタル値はＲＧＢディスプレイの場合と同じであるが、ＲＧＢＷディスプレイで背景を表現するときには、ホワイトサブピクセルのために背景の輝度がＲＧＢディスプレイよりも大きくなるため、相対的に純色の輝度が低く見えるようになる。したがって、相対的な輝度差により、ＲＧＢＷディスプレイの場合には、ＲＧＢディスプレイの場合よりも、純色の彩度がより低く見えるようになる。ここで、純色（ｐｕｒｅ  ｃｏｌｏｒ）とは、特定の色相に対して彩度が最も高い色を意味することができる。
【０００４】
例えば、黄色の文字と灰色の背景で構成された映像信号のフレームが存在すると仮定する。ここで、黄色は、純色を意味することができ、デジタル値で表現すれば、（２５５，２５５，０）で表すことができる。この映像信号をＲＧＢＷディスプレイで表現する場合には、ホワイトサブピクセルのためにＲＧＢディスプレイよりも灰色の背景の輝度が大きくなり、相対的に黄色の文字が暗く見えるようになる。具体的に見れば、ＲＧＢディスプレイとＲＧＢＷディスプレイとで表現される灰色の背景の輝度は同じである。
【０００５】
しかしながら、灰色の背景の輝度値が同じであっても、ホワイトサブピクセルのためにＲＧＢＷディスプレイがＲＧＢディスプレイよりも視感的に灰色の背景がより明るく見えるようになる。結局、ＲＧＢＷディスプレイとＲＧＢディスプレイとを比べてみると、ＲＧＢＷディスプレイの場合には、灰色の背景に含まれた黄色の文字が絶対的に同じデジタル値を有しているが相対的に暗く見えるようになり、結果的には彩度が低下するという問題が発生する。このような問題は、フレーム全体に黄色い文字のような彩度が高い純色が含まれているときには、より一層際立つようになる。
【０００６】
結局、ＲＧＢＷディスプレイは、既存のＲＧＢディスプレイと比較してみれば、ディスプレイを駆動するためのＩＣを少なく要求するため、生産費用が低くなるという長所がある。また、ホワイトサブピクセルによって高輝度映像を表現し易く、バックライトの数を減らすことができるという長所もある。
【０００７】
しかしながら、上述したように、ホワイトサブピクセルのために純色の彩度が低下するという問題点が存在するため、このような問題点を解決するための発明が切に求められてる。
【特許文献１】特開２００７−０１０７５３号公報
【特許文献２】特開２００７−００３８４８号公報
【特許文献３】特開２００２−３１８５６４号公報
【発明の開示】
【発明が解決しようとする課題】
【０００８】
本発明は、前記のような問題点を解決するために案出されたものであって、ＲＧＢＷディスプレイでバックライトの輝度を増加させ、ホワイトサブピクセルの輝度を減少させることで、純色の彩度を向上させることができるＲＧＢＷ映像信号の彩度向上システムおよび方法を提供することを目的とする。
【０００９】
また、本発明は、ホワイトサブピクセルの輝度を減少させることで、フレーム全体の輝度値を維持することができるＲＧＢＷ映像信号の彩度向上システムおよび方法を提供することを他の目的とする。
【００１０】
また、本発明は、映像分類パラメータを用いて、フレームごとに映像分類単位によって分類することで、彩度向上に必要な計算量を減少させることができるＲＧＢＷ映像信号の彩度向上システムおよび方法を提供することをその他の目的とする。
【００１１】
さらに、本発明は、ピクセルの輝度値とヒストグラムによる彩度データを用いることで、より精巧に彩度向上対象となり得るフレームを決定することができるＲＧＢＷ映像信号の彩度向上システムおよび方法を提供することをさらに他の目的とする。
【課題を解決するための手段】
【００１２】
前記の目的を達成するために、本発明の一実施形態に係るＲＧＢＷ映像信号の彩度向上システムは、映像信号の輝度および彩度による映像分類パラメータを用いて、映像信号のそれぞれのフレームを映像分類単位によって分類する映像信号分類部と、前記映像分類単位が彩度向上対象であるフレームに対して、バックライト（ｂａｃｋｌｉｇｈｔ）輝度を増加させるバックライト輝度制御部と、前記バックライト輝度の増加量に対応して、前記映像信号のホワイト（Ｗ）サブピクセルの輝度を減少させるホワイトサブピクセル制御部とを含む。
【００１３】
このとき、前記ＲＧＢＷ映像信号の彩度向上システムは、ＲＧＢＷ映像信号に対して、Ｒ，Ｇ，Ｂサブピクセルのピクセル値をＨＳＶ変換して映像分類パラメータを計算する映像分類パラメータ計算部をさらに含み、前記映像分類パラメータは、前記映像信号のフレームそれぞれに対する平均輝度値および彩度ヒストグラムを用いて生成される彩度データを含む。
【００１４】
また、前記彩度データは、前記フレームの彩度ヒストグラムに対して中間彩度値よりも大きい彩度値に対応するピクセル数の累積合計と、前記彩度ヒストグラムに対して中間彩度値よりも小さい彩度値に対応するピクセル数の累積合計と、前記彩度ヒストグラムに対して彩度値の範囲によって決定されるダイナミックレンジ（Ｄｙｎａｍｉｃ  Ｒａｎｇｅ）とを含む。
【００１５】
本発明の一実施形態に係るＲＧＢＷ映像信号の彩度向上方法は、映像信号の輝度および彩度による映像分類パラメータを用いて、映像信号のそれぞれのフレームを映像分類単位によって分類するステップと、前記映像分類単位が彩度向上対象となるフレームに対してバックライト輝度を増加させるステップと、前記バックライト輝度の増加量に対応して前記映像信号のホワイトサブピクセルの輝度を減少させるステップとを含む。
【００１６】
このとき、ＲＧＢＷ映像信号の彩度向上方法は、ＲＧＢＷ映像信号に対して、Ｒ、Ｇ、Ｂサブピクセルのピクセル値をＨＳＶ変換して映像分類パラメータを計算するステップをさらに含み、前記映像分類パラメータは、前記映像信号のフレームそれぞれに対する平均輝度値および彩度ヒストグラムを用いて生成される彩度データを含む。
【００１７】
また、前記映像分類単位は、前記フレームの全体平均輝度値と彩度ヒストグラムの形態を考慮して、彩度向上対象であるか否かによって区分される。
【００１８】
また、バックライト輝度制御部は、バックライトの輝度を増加させ、変換したＲＧＢＷ映像信号に対して、Ｒ，Ｇ，Ｂ，Ｗサブピクセルそれぞれの輝度値を増加させる。
【発明の効果】
【００１９】
本発明によれば、ＲＧＢＷディスプレイにおいて、バックライトの輝度を増加させてホワイトサブピクセルの輝度を減少させることで、純色の彩度を向上させることができるＲＧＢＷ映像信号の彩度向上システムおよび方法が提供される。
【００２０】
また、本発明によれば、ホワイトサブピクセルの輝度を減少させることで、フレーム全体の輝度値を維持することができるＲＧＢＷ映像信号の彩度向上システムおよび方法が提供される。
【００２１】
また、本発明によれば、映像分類パラメータを用いて、フレームごとに映像分類単位によって分類することで、彩度向上に必要な計算量を減少させることができるＲＧＢＷ映像信号の彩度向上システムおよび方法が提供される。
【００２２】
さらに、本発明によれば、ピクセルの輝度値とヒストグラムによる彩度データを用いることで、より精巧に彩度向上対象となり得るフレームを決定することができるＲＧＢＷ映像信号の彩度向上システムおよび方法が提供される。
【発明を実施するための最良の形態】
【００２３】
以下、添付の図面を参照しながら、本発明に係る好ましい実施形態について詳細に説明する。本発明の一実施形態に係るＲＧＢＷ映像信号の彩度向上方法は、ＲＧＢＷ映像信号の彩度向上システムによって実行されることができる。
【００２４】
図１は、本発明の一実施形態において、ＲＧＢＷ映像信号の彩度向上システムの構造を示したブロック図である。
【００２５】
ＲＧＢＷ映像信号の彩度向上システムは、ＲＧＢＷ映像信号変換部１０１と、映像分類パラメータ計算部１０２と、映像信号分類部１０３と、バックライト輝度制御部１０４と、ホワイトサブピクセル制御部１０５とを含む。
【００２６】
ＲＧＢＷ映像信号変換部１０１は、ＲＧＢ映像信号をＲＧＢＷ映像信号に変換することができる。ＲＧＢＷ映像信号は、ＲＧＢ映像信号に比べて、ホワイトサブピクセル（Ｗ）のピクセル値をさらに追加することができる。ＲＧＢＷディスプレイは、追加されるホワイトサブピクセルによって、映像信号の高輝度表現に有利であるという長所がある。
【００２７】
しかしながら、上述したように、背景を表現するホワイトサブピクセルの輝度のためにＲＧＢ映像信号からＲＧＢＷ映像信号に変換するときに、純色の彩度が低下するという問題が発生する場合がある。すなわち、背景に含まれたホワイトサブピクセルの輝度のために、ＲＧＢＷ映像信号がＲＧＢ映像信号よりも相対的に背景が明るく表れる場合がある。
【００２８】
したがって、ＲＧＢＷ映像信号で背景に含まれた純色は、視感的に暗く見えるため、ＲＧＢ映像信号の場合よりも純色の彩度が低く見えるようになるのである。
【００２９】
一例として、ＲＧＢＷ映像信号変換部１０１は、下記の数式（１）を用いて、ＲＧＢ映像信号をＲＧＢＷ映像信号に変換することができる。
【００３０】
Ｒｏｕｔ＝Ｒｉｎ
Ｇｏｕｔ＝Ｇｉｎ
Ｂｏｕｔ＝Ｂｉｎ                        ・・・（１）
Ｗｏｕｔ＝Ｍｉｎ（Ｒｉｎ，Ｇｉｎ，Ｂｉｎ）
【００３１】
ここで、Ｒｉｎ，Ｇｉｎ，Ｂｉｎは、ＲＧＢ映像信号に対する各サブピクセルのピクセル値であり、 Ｒｏｕｔ，Ｇｏｕｔ，Ｂｏｕｔ，Ｗｏｕｔ
は、変換したＲＧＢＷ映像信号に対する各サブピクセルのピクセル値であり、Ｗｏｕｔは、Ｒｉｎ，Ｇｉｎ，Ｂｉｎのうちの最小値であることを意味する。
【００３２】
また、他の一例として、ＲＧＢＷ映像信号変換部１０１は、ＲＧＢ映像信号を用いてＹＵＶ映像信号に変換し、変換した信号を再びＲＧＢＷ映像信号に変換することができる。このとき、ＹＵＶ映像信号に変換した信号は、下記の数式（４）を用いて、ＲＧＢＷ映像信号に変換することができる。
【００３３】
Ｒｏｕｔ＝Ｙｉｎ−１．３７Ｖｉｎ
Ｇｏｕｔ＝Ｙｉｎ−０．６９８Ｖｉｎ−０．３３６Ｕｉｎ  ・・・（４）
Ｂｏｕｔ＝Ｙｉｎ＋１．７３２Ｕｉｎ
Ｗｏｕｔ＝Ｙｉｎ
【００３４】
ここで、Ｙｉｎ，Ｕｉｎ，Ｖｉｎは、ＲＧＢ映像信号がＹＵＶ映像信号に変換した値であり、Ｒｏｕｔ，Ｇｏｕｔ，Ｂｏｕｔ，Ｗｏｕｔは、ＲＧＢＷ映像信号に対する各サブピクセルのピクセル値を意味する。
【００３５】
しかし、前記した数式（１）と数式（４）は一例に過ぎず、ＲＧＢＷ映像信号変換部１０１は、他の数式を用いて、ＲＧＢ映像信号をＲＧＢＷ映像信号に変換することもできる。
【００３６】
ＲＧＢ映像信号を構造的にＲＧＢＷ映像信号に変換するためには、ＲＧＢＷフィルタを用いてサブピクセル間にレンダリング（ｒｅｎｄｅｒｉｎｇ）を行う過程が必要となる。なぜなら、ＲＧＢ映像信号を表現するディスプレイのサブピクセル構造と、ＲＧＢＷ映像信号を表現するディスプレイのサブピクセル構造とが異なるためである。すなわち、原色セット（ｐｒｉｍａｒｙ  ｃｏｌｏｒ  ｓｅｔ）が異なる場合に、サブピクセルのレンダリング過程が要求されるようになるのである。
【００３７】
映像分類パラメータ計算部１０２は、変換したＲＧＢＷ映像信号において、Ｒ，Ｇ，Ｂサブピクセルのピクセル値を用いて、映像分類パラメータを計算することができる。映像分類パラメータは、映像信号の輝度および彩度によって決定されるようになる。
【００３８】
映像分類パラメータ計算部１０２は、映像信号の各フレームごとに彩度向上対象を決定するために、映像分類パラメータを計算する。
【００３９】
このとき、映像分類パラメータは、映像信号のフレームそれぞれに対する平均輝度値および彩度データを含むことができる。ここで、映像分類パラメータ計算部１０２は、ＲＧＢＷ映像信号に対して、Ｒ，Ｇ，Ｂサブピクセルのピクセル値をＨＳＶ変換し、平均輝度値と彩度データを計算することができる。
【００４０】
一例として、映像分類パラメータ計算部１０２は、下記の数式（５）を用いて、それぞれのピクセルに対する輝度値を計算することができる。
【００４１】
【数５】
0005698435.tif 000002
【００４２】
ここで、Ｖは、ピクセルの輝度値を意味する。すなわち、ピクセルの輝度値は、Ｒ，Ｇ，Ｂサブピクセルのピクセル値のうちの最大値として計算されるようになる。
【００４３】
したがって、映像信号の平均輝度値は、前記した数式（５）を用いて計算されたピクセルの輝度値をフレーム全体で平均した値として決定されるようになる。
【００４４】
また、他の一例として、映像分類パラメータ計算部１０２は、下記の数式（６）を用いて、映像信号のピクセルの彩度値を計算することができる。
【００４５】
【数６】
0005698435.tif 000003
【００４６】
ここで、Ｓは、ピクセルの彩度値を意味し、Ｖは、前記した数式（５）を用いて決定されたピクセルの輝度値を意味する。
【００４７】
したがって、映像信号の彩度ヒストグラムは、前記した数式（６）を用いて計算されたピクセルの彩度値を有するピクセルの数として決定されるようになる。
【００４８】
映像分類パラメータ計算部１０２は、彩度ヒストグラムを用いて、彩度データを生成することができる。一例として、彩度データは、フレームの彩度ヒストグラムに対して中間彩度値よりも大きい彩度値に対応するピクセル数の累積合計と、彩度ヒストグラムに対して中間彩度値よりも小さい彩度値に対応するピクセル数の累積合計と、彩度ヒストグラムに対して彩度値の範囲によって決定されるダイナミックレンジとを含むことができる。
【００４９】
映像信号分類部１０３は、映像分類パラメータを用いて、ＲＧＢＷ映像信号のフレーム別に映像分類単位によって分類する。
【００５０】
前述したように、本発明は、ＲＧＢ映像信号をＲＧＢＷ映像信号に変換したときに発生する純色の彩度低下問題を解決することを目的とする。
【００５１】
映像分類単位は、フレームの全体平均輝度値と彩度ヒストグラムの形態を考慮して、彩度向上対象であるのか否かによって区分されるようになる。このとき、彩度向上対象とは、フレームの全体平均輝度値が予め設定された基準値を超過し、フレームの全体に対して中間彩度値よりも大きい彩度値に対応するピクセルの数が予め設定された臨界値を超過するフレームを意味することができる。
【００５２】
すなわち、彩度向上対象には、フレーム全体に対して平均輝度値が大きく、彩度が高いピクセルが相対的に彩度が低いピクセルよりも多く分布するフレームが含まれるようになる。結局、本発明によれば、映像分類パラメータを用いて、フレームごとに映像分類単位によって分類することで、彩度向上に必要な計算量を減少させる効果がある。
【００５３】
バックライト輝度制御部１０４は、映像分類単位が彩度向上対象であるフレームに対して、バックライト輝度を増加させる。すなわち、本発明は、ＲＧＢＷ映像を提供するディスプレイに備えられたバックライト輝度を増加させることを特徴とするのである。
【００５４】
バックライト輝度制御部１０４は、バックライト輝度を増加させ、全体ＲＧＢＷ映像信号の輝度を増加させることができる。より具体的に説明すれば、バックライト輝度制御部１０４は、バックライトの輝度を増加させ、変換したＲＧＢＷ映像信号に対して、Ｒ，Ｇ，Ｂ，Ｗサブピクセルそれぞれの輝度値を増加させることができる。すなわち、Ｒ，Ｇ，Ｂ，Ｗの輝度値がバックライト輝度増加量に比例して増加するようになる。
【００５５】
すなわち、バックライト輝度が増加することによって、フレーム全体の輝度値が増加することができる。フレーム全体の輝度が増加することによって、フレームに含まれた純色の輝度がともに増加することができる。したがって、純色の輝度が増加することによって、純色の彩度が向上することができる。
【００５６】
上述したように、純色とは、一色相で彩度が最も高い色を意味することができる。すなわち、ＲＧＢ映像信号で、Ｒ，Ｇ，Ｂ値のうちのいずれか１つが０であったり２つの値が０であったりする場合が純色に該当すると言える。このような場合に、純色は、一色相で彩度が最大になることができる。
【００５７】
結局、バックライト輝度制御部１０４は、バックライトの輝度を増加させることによって、ＲＧＢＷ映像信号で純色の彩度を増加させることができる。
【００５８】
ホワイトサブピクセル制御部１０５は、バックライト輝度の増加量に対応して、映像信号のホワイト（Ｗ）サブピクセルの輝度を減少させる。より具体的に説明すれば、バックライト輝度の増加量と同じ大きさでホワイトサブピクセルの輝度を減少させ、バックライト輝度が増加する前と後のフレーム全体の輝度値を維持させることができるのである。
【００５９】
ホワイトサブピクセル制御部１０５は、映像信号のフレーム間の輝度値が異なることで発生するちらつき（ｆｌｉｃｋｅｒｉｎｇ）現象を除去するために、バックライト輝度の増加量によってホワイトサブピクセルの輝度を減少させることができる。
【００６０】
結果的に、本発明に係る映像信号の彩度向上システムは、バックライト輝度を増加させてホワイトサブピクセルの輝度を減少させることで、純色の彩度を増加させ、映像の全体輝度を維持する効果を表すことができる。
【００６１】
図２は、本発明の一実施形態において、映像分類パラメータを用いて、フレームを映像分類単位によって分類する過程を説明するためのフローチャートである。
【００６２】
映像信号分類部１０３は、映像分類パラメータ計算部１０２で計算された映像分類パラメータを用いて、フレーム別に映像分類単位によって分類することができる。上述したように、映像分類パラメータは、ピクセルの輝度値と彩度データとを含むことができる。
【００６３】
ここで、彩度データは、フレームの彩度ヒストグラムに対して中間彩度値よりも大きい彩度値に対応するピクセル数の累積合計（Ｈｓｕｍ）と、彩度ヒストグラムに対して中間彩度値よりも小さい彩度値に対応するピクセル数の累積合計（Ｌｕｓｍ）と、彩度ヒストグラムに対して彩度値の範囲によって決定されるダイナミックレンジ（ＤＲ）とを含むことができる。
【００６４】
まず、映像信号分類部１０３は、ピクセルの輝度値が予め設定された臨界値よりも大きいか否かを判断することができる（ステップＳ２０１）。一例として、映像信号分類部１０３によって平均輝度値が臨界値よりも小さいと判断されれば、該当フレームは、第３映像分類単位２０３に分類される。また、映像信号分類部１０３によって平均輝度値が臨界値よりも大きいと判断されれば、フレームサイズに含まれたピクセルの彩度値を考慮して、映像分類単位によって分類することができる。
【００６５】
ピクセルの輝度値が予め設定された臨界値よりも大きい場合に、映像信号分類部１０３は、Ｈｓｕｍがフレーム全体のサイズと予め設定された割合（Ｔ１）を掛けた値よりも大きい値を有するか否かを判断することができる（ステップＳ２０２）。映像信号分類部１０３が、Ｈｓｕｍがフレーム全体のサイズと予め設定された割合（Ｔ１）を掛けた値よりも小さいと判断すれば、該当フレームは、第３映像分類単位２０３に分類されるようになる。映像信号分類部１０３が、Ｈｓｕｍがフレーム全体のサイズと予め設定された割合（Ｔ１）を掛けた値よりも大きいと判断すれば、映像信号分類部１０３は、Ｌｓｕｍがフレーム全体のサイズと予め設定された割合（Ｔ２）を掛けた値よりも大きいか否かを判断することができる（ステップＳ２０３）。一例として、Ｔ１とＴ２は、０．２５であり得る。
【００６６】
映像信号分類部１０３が、Ｌｓｕｍがフレーム全体のサイズと予め設定された割合（Ｔ２）を掛けた値よりも小さいと判断すれば、該当フレームは、第１映像分類単位２０１と判断されるようになる。また、映像信号分類部１０３が、Ｌｓｕｍがフレーム全体のサイズと予め設定された割合（Ｔ２）を掛けた値よりも大きいと判断すれば、映像信号分類部１０３は、ＤＲが全体彩度値範囲と予め設定された割合（Ｔ３）の乗数よりも大きいか否かを判断することができる（ステップＳ２０４）。
【００６７】
映像信号分類部１０３が、ＤＲが全体彩度値範囲と予め設定された割合（Ｔ３）の乗数よりも大きいと判断すれば、該当フレームは、第２映像分類単位２０２に分類されるようになる。これとは反対に、ＤＲが全体彩度値範囲と予め設定された割合（Ｔ３）の乗数よりも小さいと判断されれば、該当フレームは、第３映像分類単位２０３に分類されるようになる。一例として、Ｔ３は、０．９であり得る。
【００６８】
一例として、第１映像分類単位２０１または第２映像分類単位２０２のうちのいずれか１つに分類されたフレームは、彩度向上対象として決定されるようになる。また、第３映像分類単位２０３に分類されたフレームは、彩度向上対象に含まれない場合もある。
【００６９】
図２は、映像信号分類部がＲＧＢＷ映像信号のフレームを映像分類単位によって分類する過程を示した一例である。したがって、図２の映像分類パラメータを用いて入力映像を分類する過程は、図２の構成に限定されるものではなく、同じ目的と効果を発揮することができる他の構造で代替することもできる。
【００７０】
図３は、本発明の一実施形態において、第１映像分類単位に属する彩度ヒストグラムの一例を示したグラフである。
【００７１】
図３に示されたように、横軸はｇｒａｙ  ｖａｌｕｅを示しており、縦軸はｇｒａｙ  ｖａｌｕｅに対応するピクセル数を示している。一例として、ｇｒａｙ  ｖａｌｕｅはデジタル値であって、彩度値を意味することができる。
【００７２】
第１映像分類単位２０１に属する彩度ヒストグラムは、中間彩度値よりも大きい彩度値に対応するピクセル数の累積合計（Ｈｓｕｍ）が、中間彩度値よりも大きい彩度値に対応するピクセル数の累積合計（Ｌｓｕｍ）よりも大きい形態を表すことができる。
【００７３】
また、図３に示されたように、Ｈｓｕｍがフレーム全体のサイズと予め設定された割合（Ｔ１）を掛けた値よりも大きく、Ｌｓｕｍがフレーム全体のサイズと予め設定された割合（Ｔ２）を掛けた値よりも小さいフレームが、第１映像分類単位２０１に分類されるようになる。すなわち、彩度値の高いピクセルが彩度値の低いピクセルよりも相対的に多いフレームが、第１映像分類単位２０１に分類されるようになるのである。
【００７４】
ただし、第１映像分類単位２０１は、ピクセルの輝度値が予め設定された基準値（一般的に、８ビット映像の場合は１２８）よりも大きいことを前提にすることができる。
【００７５】
図４は、本発明の一実施形態において、第２映像分類単位２０２に属する彩度ヒストグラムの一例を示したグラフである。図３と同様に、横軸はｇｒａｙ  ｖａｌｕｅを示しており、縦軸はｇｒａｙ  ｖａｌｕｅに対応するピクセル数を示している。一例として、ｇｒａｙ  ｖａｌｕｅは、デジタル値であって、彩度値を意味することができる。
【００７６】
第２映像分類単位２０２に属する彩度ヒストグラムは、中間彩度値よりも大きい彩度値に対応するピクセル数の累積合計（Ｈｓｕｍ）が、中間彩度値よりも大きい彩度値に対応するピクセル数の累積合計（Ｌｓｕｍ）と比べたときに、差がない形態を表すことができる。
【００７７】
また、第２映像分類単位２０２に分類されるフレームは、Ｈｓｕｍがフレーム全体のサイズと予め設定された割合（Ｔ１）を掛けた値よりも大きく、Ｌｓｕｍがフレーム全体のサイズと予め設定された割合（Ｔ２）を掛けた値よりも大きくなることができる。
【００７８】
追加的に、彩度ヒストグラムに対して彩度値の範囲によって決定されるダイナミックレンジ（ＤＲ）が、全体彩度値範囲と予め設定された割合（Ｔ３）を掛けた値よりも大きいフレームが、第２映像分類単位２０２に分類されるようになる。
【００７９】
図４に示されたように、ダイナミックレンジは、ｇｒａｙ  ｖａｌｕｅがＨ２とＨ１との間の彩度値範囲を意味することができる。一例として、Ｈ２とＨ１との間の彩度値範囲は、全体彩度値の範囲から上位１％と下位１％である彩度値を除いた彩度値範囲を意味することができる。
【００８０】
すなわち、彩度ヒストグラムの形態を詳しく説明すれば、第２映像分類単位２０２に対応するフレームは、彩度が高いピクセルと彩度が低いピクセルが類似した割合で分布されているが、ダイナミックレンジが全体彩度値範囲と予め設定された割合（Ｔ３）を掛けた値よりも大きいものであると言える。ただし、第２映像分類単位２０２は、ピクセルの輝度値が予め設定された基準値（一般的に、８ビット映像の場合は１２８）よりも大きいことを前提にすることができる。
【００８１】
図５は、本発明の一実施形態において、ＲＧＢ映像信号が変換したＲＧＢＷ映像信号の各チャンネル別の輝度を示したグラフである。
【００８２】
図５に示されたように、グラフの横軸は、ＲＧＢＷ映像信号の各チャンネル（サブピクセル）およびフレーム全体を意味し、縦軸は、チャンネル別の輝度値を意味する。
【００８３】
図１で上述したように、ＲＧＢＷ映像信号は、ＲＧＢ映像信号よりもホワイトサブピクセル（Ｗ）をさらに含んでいる。
【００８４】
ホワイトサブピクセルのために、ＲＧＢＷ映像信号は、ＲＧＢ映像信号よりも全体的に輝度が高く表れる場合がある。したがって、ホワイトサブピクセル（Ｗ）のためにＲＧＢＷ映像信号の背景がＲＧＢ映像信号の背景よりも相対的に明るく見えるようになる。
【００８５】
したがって、各映像に含まれた純色は、絶対的に同じ輝度デジタル値（ｌｕｍｉｎａｎｃｅ  ｄｉｇｉｔａｌ  ｖａｌｕｅ）を有していたとしても、ＲＧＢＷ映像の場合には、相対的により明るい背景のために視感的に暗く見えるようになる。結局、このような理由により、純色は、ＲＧＢ映像信号よりもＲＧＢＷ映像信号であるときに彩度がより低く見えるようになる。
【００８６】
例えば、映像信号において、赤色のりんごが灰色の背景にあると仮定します。ＲＧＢＷ映像信号は、ＲＧＢ映像信号よりも、ホワイトサブピクセルのために灰色の背景がより明るく見えるようになる。したがって、赤色のりんごは、ＲＧＢ映像信号の場合よりも、ＲＧＢＷ映像信号で表現されるときに、相対的に明るい背景のために視感的に暗く見えるようになる。結局、ＲＧＢＷ映像信号で表現されるりんごは、ＲＧＢ映像信号に表現されるりんごよりも、相対的により暗く見え、視感的に彩度がより低く見えるようになるのである。
【００８７】
図５に示されたグラフは、変換する前のＲＧＢ映像信号と比較したときに、ホワイトサブピクセルの差があるだけで、Ｒ，Ｇ，Ｂのサブピクセルおよびフレーム全体の輝度は同じであると見なすことができる。
【００８８】
図６は、本発明の一実施形態において、バックライトの輝度を増加させたときのＲＧＢＷ映像信号の各チャンネル別の輝度を示したグラフである。
【００８９】
バックライトの輝度が増加すれば、ＲＧＢＷ映像信号のサブピクセル（チャンネル）の輝度もともに増加することができる。サブピクセルの増加量は、バックライト輝度増加量に比例することができる。サブピクセルの輝度の増加によって、サブピクセルが示す純色の輝度も増加することができる。結局、純色の輝度が増加することによって、純色の彩度が向上することができる。
【００９０】
ただし、純色周辺の背景に含まれたホワイトサブピクセルの輝度もともに増加するため、純色の彩度が視感的に向上する効果は高くない場合もある。
【００９１】
また、サブピクセルの輝度の増加によって、フレーム全体の輝度値も増加することを知ることができる。上述したように、彩度向上対象は、フレームごとに異なるため、バックライト輝度増加が適用されたフレームとバックライト輝度が適用されていないフレームとの間の全体輝度値の差によって、ちらつき現象が発生する場合がある。したがって、このような問題点を解決するために、ホワイトサブピクセルの輝度を減少することが必要となるのである。
【００９２】
図７は、本発明の一実施形態において、ホワイトサブピクセルの輝度を減少させたときのＲＧＢＷ映像信号の各チャンネル別の輝度を示したグラフである。
【００９３】
図６で上述したように、ホワイトサブピクセル制御部は、バックライト輝度増加量に対応して、ホワイトサブピクセルの輝度を減少させることができる。このとき、ホワイトサブピクセル制御部は、フレーム全体の輝度値がバックライト輝度増加前の輝度値と同じになるように、ホワイトサブピクセルの輝度を減少させることができる。
【００９４】
ホワイトサブピクセルの輝度が減少すれば、ＲＧＢＷ映像信号からＷを除いた残りの各Ｒ，Ｇ，Ｂサブピクセルの輝度は維持される。すなわち、バックライト輝度の増加によって増加したＲ，Ｇ，Ｂサブピクセルの輝度が、ホワイトサブピクセルの輝度減少とは関係なく維持されるのである。
【００９５】
また、純色の場合に、ホワイトサブピクセルの輝度値が略０に近いため、ホワイトサブピクセルの輝度を減少させても、大きく変化がない。ただし、純色周辺の背景は、ホワイトサブピクセルの輝度値が減少するため、相対的に純色がより明るく見えるようになる。したがって、視感的に純色の彩度は、バックライト輝度を増加させるときよりも、さらに向上したように見えるようになるのである。
【００９６】
結局、バックライト輝度増加によって純色の彩度が増加する効果は、そのまま維持される。付随的に、ホワイトサブピクセルの輝度減少によって、フレーム全体の輝度値がバックライト輝度増加前の輝度値に変更されながら、フレーム間のちらつき問題が解決される。
【００９７】
図８は、本発明の一実施形態において、ＲＧＢＷ映像信号の彩度向上方法を説明するためのフローチャートである。
【００９８】
本発明の一実施形態に係るＲＧＢＷ映像信号の彩度向上方法は、ＲＧＢ映像信号をＲＧＢＷ映像信号に変換する（ステップＳ８０１）。
【００９９】
このとき、ＲＧＢ映像信号をＲＧＢＷ映像信号に変換するステップ（Ｓ８０１）は、下記の数式（１）を用いて、ＲＧＢ映像信号をＲＧＢＷ映像信号に変換することができる。
【０１００】
Ｒｏｕｔ＝Ｒｉｎ
Ｇｏｕｔ＝Ｇｉｎ
Ｂｏｕｔ＝Ｂｉｎ                      ・・・（１）
Ｗｏｕｔ＝Ｍｉｎ（Ｒｉｎ，Ｇｉｎ，Ｂｉｎ）
【０１０１】
ここで、Ｒｉｎ，Ｇｉｎ，Ｂｉｎは、ＲＧＢ映像信号に対する各サブピクセルのピクセル値であり、 Ｒｏｕｔ，Ｇｏｕｔ，Ｂｏｕｔ，Ｗｏｕｔ
は、変換したＲＧＢＷ映像信号に対する各サブピクセルのピクセル値であり、Ｗｏｕｔは、Ｒｉｎ，Ｇｉｎ，Ｂｉｎのうちの最小値であることを意味する。
【０１０２】
また、ＲＧＢ映像信号をＲＧＢＷ映像信号に変換するステップ（Ｓ８０１）は、ＲＧＢ映像信号を用いてＹＵＶ映像信号に変換し、変換した信号を再びＲＧＢＷ映像信号に変換することができる。このとき、ＹＵＶ映像信号に変換した信号は、下記の数式（７）を用いて、ＲＧＢＷ映像信号に変換されることができる。
【０１０３】
Ｒｏｕｔ＝Ｙｉｎ−１．３７Ｖｉｎ
Ｇｏｕｔ＝Ｙｉｎ−０．６９８Ｖｉｎ−０．３３６Ｕｉｎ  ・・・（７）
Ｂｏｕｔ＝Ｙｉｎ＋１．７３２Ｕｉｎ
Ｗｏｕｔ＝Ｙｉｎ
【０１０４】
ここで、Ｙｉｎ，Ｕｉｎ，Ｖｉｎは、ＲＧＢ映像信号がＹＵＶ映像信号に変換した値であり、Ｒｏｕｔ，Ｇｏｕｔ，Ｂｏｕｔ，Ｗｏｕｔは、ＲＧＢＷ映像信号に対する各サブピクセルのピクセル値を意味する。
【０１０５】
本発明の一実施形態に係るＲＧＢＷ映像信号の彩度向上方法は、ＲＧＢＷ映像信号に対して、Ｒ，Ｇ，Ｂサブピクセルのピクセル値をＨＳＶ変換して映像分類パラメータを計算する（ステップＳ８０２）。
【０１０６】
このとき、映像分類パラメータは、映像信号のフレームそれぞれに対する平均輝度値および彩度ヒストグラムを用いて生成される彩度データを含むことができる。
【０１０７】
このとき、映像信号の平均輝度値は、映像信号のサブピクセルであるＲ，Ｇ，Ｂを用いて、下記の数式（８）を用いて計算されるピクセルの輝度値として決定されることができる。
【０１０８】
【数７】
0005698435.tif 000004
【０１０９】
ここで、Ｖは、ピクセルの輝度値を意味する。
【０１１０】
このとき、映像信号の彩度ヒストグラムは、ＲＧＢ色座標を有する映像信号に対して、下記の数式（９）を用いて計算されるピクセルの彩度値として決定されることができる。
【０１１１】
【数８】
0005698435.tif 000005
【０１１２】
ここで、Ｓは、ピクセルの彩度値を意味し、Ｖは、ピクセルの輝度値を意味する。
【０１１３】
このとき、彩度データは、フレームの彩度ヒストグラムに対して中間彩度値よりも大きい彩度値に対応するピクセル数の累積合計と、彩度ヒストグラムに対して中間彩度値よりも小さい彩度値に対応するピクセル数の累積合計と、彩度ヒストグラムに対して彩度値の範囲によって決定されるダイナミックレンジとを含むことができる。
【０１１４】
本発明の一実施形態に係るＲＧＢＷ映像信号の彩度向上方法は、映像信号の輝度および彩度による映像分類パラメータを用いて、映像信号のそれぞれのフレームを映像分類単位によって分類する（ステップＳ８０３）。
【０１１５】
このとき、映像分類単位は、フレームの全体平均輝度値と彩度ヒストグラムの形態とを考慮して、彩度向上対象であるのか否かによって区分されるようになる。
【０１１６】
このとき、彩度向上対象は、フレームの全体平均輝度値が予め設定された基準値を超過し、フレームの全体に対して中間彩度値よりも大きい彩度値に対応するピクセルの数が予め設定された臨界値を超過することを特徴とすることができる。
【０１１７】
本発明の一実施形態に係るＲＧＢＷ映像信号の彩度向上方法は、映像分類単位が彩度向上対象であるフレームに対して、バックライト輝度を増加させる（ステップＳ８０４）。
【０１１８】
このとき、バックライト輝度を増加させるステップ（Ｓ８０４）は、バックライトの輝度を増加させて変換したＲＧＢＷ映像信号に対して、Ｒ，Ｇ，Ｂ，Ｗサブピクセルそれぞれの輝度値を増加させることができる。
【０１１９】
本発明の一実施形態に係るＲＧＢＷ映像信号の彩度向上方法は、バックライト輝度の増加量に対応して、映像信号のホワイトサブピクセルの輝度を減少させる（ステップＳ８０５）。
【０１２０】
このとき、映像信号のホワイトサブピクセルの輝度を減少させるステップ（Ｓ８０５）は、バックライト輝度が増加する前と後のフレーム全体の輝度値が維持されるように、バックライト輝度の増加量によってホワイトサブピクセルの輝度を減少させることができる。
【０１２１】
図８に示されたステップに関して説明されていない内容は、図１ないし図７を参照しながら説明した通りであるため、これに関する説明は省略する。
【０１２２】
なお、本発明に係るＲＧＢＷ映像信号の彩度向上方法は、コンピュータにより実現される多様な動作を実行するためのプログラム命令を含むコンピュータ読取可能な記録媒体を含む。当該記録媒体は、プログラム命令、データファイル、データ構造などを単独または組み合わせて含むこともでき、記録媒体およびプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。また、記録媒体は、プログラム命令、データ構造などを保存する信号を送信する搬送波を含む光または金属線、導波管などの送信媒体でもある。プログラム命令の例としては、コンパイラによって生成されるもののような機械語コードだけでなく、インタプリタなどを用いてコンピュータによって実行される高級言語コードを含む。
【０１２３】
上述したように、本発明の好ましい実施形態を参照して説明したが、該当の技術分野において熟練した当業者にとっては、特許請求の範囲に記載された本発明の思想および領域から逸脱しない範囲内で、本発明を多様に修正および変更させることができることを理解することができるであろう。すなわち、本発明の技術的範囲は、特許請求の範囲に基づいて定められ、発明を実施するための最良の形態により制限されるものではない。
【図面の簡単な説明】
【０１２４】
【図１】本発明の一実施形態において、ＲＧＢＷ映像信号の彩度向上システムの構造を示したブロック図である。
【図２】本発明の一実施形態において、映像分類パラメータを用いて、フレームを映像分類単位によって分類する過程を示したフローチャートである。
【図３】本発明の一実施形態において、第１映像分類単位に属する彩度ヒストグラムの一例を示したグラフである。
【図４】本発明の一実施形態において、第２映像分類単位に属する彩度ヒストグラムの一例を示したグラフである。
【図５】本発明の一実施形態において、ＲＧＢ映像信号が変換したＲＧＢＷ映像信号の各チャンネル別の輝度を示したグラフである。
【図６】本発明の一実施形態において、バックライトの輝度を増加させたときのＲＧＢＷ映像信号の各チャンネル別の輝度を示したグラフである。
【図７】本発明の一実施形態において、ホワイトサブピクセルの輝度を減少させたときのＲＧＢＷ映像信号の各チャンネル別の輝度を示したグラフである。
【図８】本発明の一実施形態において、ＲＧＢＷ映像信号の彩度向上方法を説明するためのフローチャートである。
【符号の説明】
【０１２５】
１０１  ＲＧＢＷ映像信号変換部
１０２  映像分類パラメータ計算部
１０３  映像信号分類部
１０４  バックライト輝度制御部
１０５  ホワイトサブピクセル制御部
２０１  第１映像分類単位
２０２  第２映像分類単位
２０３  第３映像分類単位
【図１】
0005698435.tif 000010
【図２】
0005698435.tif 000011
【図３】
0005698435.tif 000012
【図４】
0005698435.tif 000013
【図５】
0005698435.tif 000014
【図６】
0005698435.tif 000015
【図７】
0005698435.tif 000016
【図８】
0005698435.tif 000017